(57)【要約】【課題】庫内収納量を正確に自動検出することのできる新しい収納庫の収納量検出装置を提供する。【解決手段】収納庫（１）内の湿度を検知する湿度センサ（２）と、収納庫（１）内を除湿する除湿装置（３）と、湿度センサ（２）の検知湿度に基づいて除湿装置（３）の運転を制御する制御手段（ＣＰＵ）（４）とを備えた収納庫の収納量検出装置であって、湿度の変化率から収納量を求める手段、を備える。【選択図】    図１
2004286386.tif 000002
【特許請求の範囲】
【請求項１】
収納庫内の湿度を検知する湿度センサと、収納庫内を除湿する除湿装置と、湿度センサの検知湿度に基づいて除湿装置の運転を制御する制御手段とを備えた収納庫の収納量検出装置であって、
湿度の変化率から収納量を求める手段、
を備えていることを特徴とする収納庫の収納量検出装置。
【請求項２】
収納庫内の湿度を検知する湿度センサと、収納庫内を除湿する除湿装置と、湿度センサの検知湿度に基づいて除湿装置の運転を制御する制御手段とを備えた収納庫の収納量検出装置であって、
除湿装置の停止時の第一湿度と停止後所定時間経過時の第二湿度との湿度差を収納量に換算する手段、
を備えていることを特徴とする収納庫の収納量検出装置。
【請求項３】
収納庫内の湿度を検知する湿度センサと、収納庫内を除湿する除湿装置と、湿度センサの検知湿度に基づいて除湿装置を運転制御する制御手段とを備えた収納庫の収納量検出装置であって、
除湿装置の停止時と停止後所定湿度の到達時との時間差を収納量に換算する手段、
を備えていることを特徴とする収納庫の収納量検出装置。
【請求項４】
前記得られた収納量を庫外へ出力する手段、
をさらに備えていることを特徴とする請求項１ないし３のいずれかに記載の収納庫の収納量検出装置。
【請求項５】
請求項１ないし４のいずれかに記載の収納量検出装置を備えていることを特徴とする収納庫。
【発明の詳細な説明】
【０００１】
【発明の属する技術分野】
この出願の発明は、収納庫の収納量検出装置および収納庫に関するものである。さらに詳しくは、この出願の発明は、青物・根菜等の野菜や果物などを収納する冷蔵庫、ストック庫などの各種収納庫に有用な、庫内収納量を正確に自動検出することのできる新しい収納庫の収納量検出装置、および該検出装置を備えた収納庫に関するものである。
【０００２】
【従来の技術】
従来、収納庫内に収納した量を、使用者が該収納庫を開けることなく外部より把握するためには、予め使用者が自ら収納庫付属の記憶装置に収納量を入力する必要があった（たとえば特許文献１参照）。
【０００３】
【特許文献１】
特開昭６１−２９１８８０号公報
【０００４】
【発明が解決しようとする課題】
しかしながら、上記特許文献１記載のものでは、使用者が収納物を使用したり補充したりする度に収納量を入力する必要があり、手間がかかるといった不都合が考えられる。また使用者が入力忘れする場合も考えられ、収納量の正確な把握にはつながらない。
【０００５】
そこで、この出願の発明は、以上のとおりの事情に鑑み、庫内収納量を正確に自動検出することのできる新しい収納庫の収納量検出装置、および該検出装置を備えた収納庫を提供することを課題としている。
【０００６】
【課題を解決するための手段】
この出願の発明は、上記の課題を解決するものとして、第１には、収納庫内の湿度を検知する湿度センサと、収納庫内を除湿する除湿装置と、湿度センサの検知湿度に基づいて除湿装置の運転を制御する制御手段とを備えた収納庫の収納量検出装置であって、湿度の変化率から収納量を求める手段、を備えていることを特徴とする収納庫の収納量検出装置を提供する。
【０００７】
また、第２には、収納庫内の湿度を検知する湿度センサと、収納庫内を除湿する除湿装置と、湿度センサの検知湿度に基づいて除湿装置の運転を制御する制御手段とを備えた収納庫の収納量検出装置であって、除湿装置の停止時の第一湿度と停止後所定時間経過時の第二湿度との湿度差を収納量に換算する手段、を備えていることを特徴とする収納庫の収納量検出装置を提供し、第３には、収納庫内の湿度を検知する湿度センサと、収納庫内を除湿する除湿装置と、湿度センサの検知湿度に基づいて除湿装置を運転制御する制御手段とを備えた収納庫の収納量検出装置であって、除湿装置の停止時と停止後所定湿度の到達時との時間差を収納量に換算する手段、を備えていることを特徴とする収納庫の収納量検出装置を提供する。
【０００８】
また、第４には、前記得られた収納量を庫外へ出力する手段、をさらに備えていることを特徴とする収納庫の収納量検出装置を提供する。
【０００９】
そして、第５には、前記いずれかの収納量検出装置を備えていることを特徴とする収納庫を提供する。
【００１０】
【発明の実施の形態】
［第１の実施形態］
図１（ａ）（ｂ）はこの出願の発明の一実施形態を示した概略構成図および制御ブロック図であり、図２は本実施形態における収納量自動検出処理にいて説明するための図である。
【００１１】
この実施形態では、図１（ａ）（ｂ）に例示したように、野菜や果物等のいわゆる呼吸をしている収納物（１０）が収納される収納庫（１）には、その内部の湿度を検知する湿度センサ（２）と、収納庫（１）内を除湿する排気ファンやアクチュエータ等からなる除湿装置（３）と、湿度センサ（２）による検知湿度に基づいて除湿装置（３）の運転を制御する制御手段および湿度差−収納量換算演算を行う換算手段として機能するＣＰＵ（４）とが備えられている。この構成において、ＣＰＵ（４）は、図２に例示したように、除湿装置（３）を停止させた時点での検知湿度（「第一湿度」と呼ぶこととする）の値ｓ０と、停止後に所定時間Ｔ経過した時点での検知湿度（「第二湿度」と呼ぶこととする）の値ｓ１、２，３…との差Δｓを求め、その湿度差の値を収納量に換算するようになっている。すなわち、一定時間当たりの湿度の上昇値を湿度の変化率として捉え、その値から収納量を得るのである。
【００１２】
換算については、より具体的には、たとえば図３に例示したように、上記湿度差値つまり上昇値が大きいほど収納量が多く、小さいほど少ないということを示す、上昇値と収納量との対応付けを予め決めておき、上記実際に算出した上昇値に対応する収納量をその既定データから判断する。既定データはたとえば図１（ｂ）の記憶手段（５）に記憶させておき、ＣＰＵ（４）が必要に応じて参照できるように構築しておく。図３のように湿度差値ｓと対応付けた収納量ｘについては、たとえば、収納量を示す何らかの数値（何リットルなど）や言葉（無い、半分、多い、かなり多い、満杯など）を用いることができる。
【００１３】
後は、図１（ｂ）の出力手段（６）によって、その値を収納庫（１）内の実際の収納量として庫外へ出力させればよい。この出力については、たとえば、庫外に設けたディスプレイに収納量を表示させたり、あるいはインターネットを通じて遠隔地から専用端末や携帯端末、携帯電話などの外部端末（７）にて収納量データを取得可能とするなど、様々な出力形態が考えられる。収納量データを逐次記憶手段（５）に蓄積させておけば、現在の収納量だけでなく、過去に遡った収納量やその収納量履歴を把握できるようにもなる。
【００１４】
以上によれば、使用者は通常どおりに収納物（１０）を使用したり補充したりするだけで、前記特許文献１に記載のような手間のかかる操作を何ら行う必要なく、収納庫（１）に組み込まれたコンピュータが収納量を常時自動的に且つ正確に検出して、知らせてくれるのである。
【００１５】
［第２の実施形態］
上述したＣＰＵ（４）による換算処理については、図４に例示したように、除湿装置（３）を停止させた時の時間値ｔ０と、停止後に所定湿度値Ｓに到達した時の時間値ｔ１、２，３…との差Δｔを求め、その時間差の値を収納量に換算するようにしてもよい。すなわち、一定湿度に上昇するまでの時間値つまり湿度の変化率から収納量を得るのである。
【００１６】
この場合においても、たとえば図５に例示したように、時間が短いほど収納量が多く、長いほど小さいということを示す、時間値と収納量とを対応付けしたデータを予め設定しておき、実測時間値に対応する収納量を実際の収納量として取得し出力する。
【００１７】
これによれば、第１の実施形態と同様に、コンピュータが庫内の収納量を正確に自動検出し、それを使用者は随時参照することができるようになる。
【００１８】
もちろん、この出願の発明は以上の実施形態に限定されるものではなく、細部については様々な態様が可能である。たとえば、上記収納量検出には除湿装置（３）の停止後の湿度が換算処理に必要となるのであって、除湿装置（３）の開始／停止制御自体については何ら限定しない。
【００１９】
【発明の効果】
以上詳しく説明したとおり、この出願の発明によって、庫内収納量を正確に自動検出することのできる新しい収納庫の収納量検出装置、および該検出装置を備えた収納庫が提供される。
【図面の簡単な説明】
【図１】（ａ）（ｂ）は、各々、この出願の発明の一実施形態を示した概略構成図および制御ブロック図である。
【図２】湿度差−収納量換算処理について説明するための図である。
【図３】湿度差と収納量との対応付け既定データの一例を示した図である。
【図４】時間差−収納量換算処理について説明するための図である。
【図５】時間差と収納量との対応付け既定データの一例を示した図である。
【符号の説明】
１  収納庫
２  湿度センサ
３  除湿装置
４  ＣＰＵ
５  記憶手段
６  出力手段
７  外部端末
１０  収納物
【図１】
2004286386.tif 000003
【図２】
2004286386.tif 000004
【図３】
2004286386.tif 000005
【図４】
2004286386.tif 000006
【図５】
2004286386.tif 000007